(57)【要約】【課題】サインの記録内容を事後的に確認しえるサインの記録方法、及びサインの記録装置を提供する。【解決手段】前記タッチスクリーンに表示される前記契約書フォーム画像を含む全ての映像を、スクリーン動画情報として作成し、前記スクリーン動画情報と、前記軌跡動画情報と、前記ライブサイン動画情報と、前記契約書フォーム画像と、を含む１つのサイン記録動画とする。【選択図】図２
2019016356.tif 000002
【特許請求の範囲】
【請求項１】
サインの記録装置を利用してサインを記録するサインの記録方法において、
前記サインの記録装置は、
撮影するためのビデオカメラと、
映像を表示する機能と手書き方式によって入力する機能とを備えたタッチスクリーンと、
契約書フォーム画像を記録した記録手段と、
前記タッチスクリーンと前記記録手段と前記ビデオカメラとを制御する制御部と、を備え、
前記サインの記録方法は、前記制御部の制御に基いて、
前記記録手段から前記契約書フォーム画像を読み取って前記タッチスクリーンに表示すると共に、ユーザーがサインするサインエリア及び前記ビデオカメラによりユーザーをリアルタイムに撮影して得られるライブサイン動画情報を表示するライブエリアを表示するステップＡと、
ユーザーが前記タッチスクリーンの前記サインエリアに対して行った手書き入力操作を、軌跡動画情報としてリアルタイムで前記サインエリアに表示させると共に、前記ビデオカメラによりリアルタイムで撮影されるユーザーの前記ライブサイン動画情報を、リアルタイムに前記ライブエリアに表示させるステップＢと、
前記ステップＢが実行される間、前記タッチスクリーンに表示される前記契約書フォーム画像を含む全体の映像を、スクリーン動画情報として作成し、前記スクリーン動画情報と、前記軌跡動画情報と、前記ライブサイン動画情報と、前記契約書フォーム画像と、を含む１つのサイン記録動画とするステップと、
を含むことを特徴とするサインの記録方法。
【請求項２】
前記サインエリア及び前記ライブエリアは、前記タッチスクリーンの前記契約書フォーム画像の一部を覆う検証ウィンドウに表示される
ことを特徴とする請求項１に記載のサインの記録方法。
【請求項３】
前記契約書フォーム画像には、サイン枠が表示されており、
前記ステップＡにおいて、
前記制御部は、
前記契約書フォーム画像の前記サイン枠に手書き方式による入力がされた場合、前記検証ウィンドウを表示するように、前記タッチスクリーンを制御する
ことを特徴とする請求項２に記載のサインの記録方法。
【請求項４】
前記ステップＢにおいて、
前記制御部は、
前記ビデオカメラによりリアルタイムで撮影される前記ライブサイン動画情報に、単一の人物の顔が映っていると判定するまで、前記タッチスクリーンの前記サインエリアに対する操作を受け付けず、前記軌跡動画情報を作成しない、
ことを特徴とする請求項３に記載のサインの記録方法。
【請求項５】
前記契約書フォーム画像には、ユーザーに承諾を求める事項と、ユーザーに承諾を求める事項をユーザーが承諾することを意味するチェックボックスが表示されている、
ことを特徴とする請求項１に記載のサインの記録方法。
【請求項６】
サインの様子を記録するためのサインの記録装置において、
前記サインの記録装置は、
撮影するためのビデオカメラと、
映像を表示する機能と手書き方式によって入力する機能とを備えたタッチスクリーンと、
契約書フォーム画像を記録した記録手段と、
前記タッチスクリーンと前記記録手段と前記ビデオカメラとを制御する制御部と、を備え、
前記制御部の制御に基いて、
前記記録手段から前記契約書フォーム画像を読み取って前記タッチスクリーンに表示すると共に、ユーザーがサインするサインエリア及び前記ビデオカメラによりユーザーをリアルタイムに撮影して得られるライブサイン動画情報を表示するライブエリアを表示し、
ユーザーが前記タッチスクリーンの前記サインエリアに対して行った手書き入力操作を、軌跡動画情報としてリアルタイムで前記サインエリアに表示させると共に、前記ビデオカメラによりリアルタイムで撮影される前記ライブサイン動画情報を、リアルタイムに前記ライブエリアに表示し、
前記タッチスクリーンに表示される前記契約書フォーム画像を含む全体の映像を、スクリーン動画情報として作成し、前記スクリーン動画情報と、前記軌跡動画情報と、前記ライブサイン動画情報と、前記契約書フォーム画像と、を含む１つのサイン記録動画とする、
ことを特徴とするサインの記録装置。
【請求項７】
前記サインエリア及び前記ライブエリアは、前記タッチスクリーンの前記契約書フォーム画像の一部を覆う検証ウィンドウに表示される、
ことを特徴とする請求項６に記載のサインの記録装置。
【請求項８】
前記契約書フォーム画像には、サイン枠が表示されており、
前記制御部は、
前記記録手段から前記契約書フォーム画像を読み取って前記タッチスクリーンに表示し、
前記タッチスクリーンに表示される前記契約書フォーム画像の前記サイン枠に手書き方式による入力がされた場合、前記検証ウィンドウを表示するように、前記タッチスクリーンを制御する、
ことを特徴とする請求項７に記載のサインの記録装置。
【請求項９】
前記制御部は、
前記ビデオカメラによりリアルタイムで撮影される前記ライブサイン動画情報に、単一の人物の顔が映っていると判定するまで、前記タッチスクリーンの前記サインエリアに対する操作を受け付けず、前記軌跡動画情報を作成しない、
ことを特徴とする請求項８に記載のサインの記録装置。
【請求項１０】
前記契約書フォーム画像には、ユーザーに同意を求める事項と、前記ユーザーに同意を求める事項をユーザーが同意することを意味するチェックボックスが表示されている、
ことを特徴とする請求項６に記載のサインの記録装置。
【発明の詳細な説明】
【技術分野】
【０００１】
本発明はサインの記録方法、及びサインの記録装置に関し、特にサインの記録内容を事後的に確認し得るサインの記録方法、及びサインの記録装置に関する。
【背景技術】
【０００２】
一般文書のサインと異なり、電子文書の場合には他人のサイン（サインを行うべきエリアに対して手書きによってサインされ、サインの筆跡が分かる軌跡動画情報を意味する。）を比較的簡単に入手できるという特徴がある。そこで、他人のサインを入手した者によって行われる「なりすまし」を防ぐために、一般には電子署名が用いられる。
【０００３】
ここで、電子署名は、公開鍵と秘密鍵にハッシュ関数を加えて利用されるが、ハッキングされたり、ＰＣその他の情報端末自体を盗まれない限り、通常は他人に知られることがない秘密鍵で暗号化するため、たとえ他人のサインを入手できても、基本的には秘密鍵を入手することはできないので、なりすましを防止し得る。
【０００４】
このように、電子署名は、なりすましを防げるという点において利点があるため広く普及しているが、電子認証局に予め「鍵」を登録する作業が必要となる。
【０００５】
しかし、直ちになりすましを防げなくても、事後的に再生可能なサインが行われる現場を録画できていれば、後に録画の様子を確認することにより、事後的になりすましを発見し得るので、それでも足りる場合がある。
【０００６】
下記の特許文献は、事後的に再生可能なサインの現場を録画するので、上記のニーズを満足している。
【先行技術文献】
【特許文献】
【０００７】
【特許文献１】台湾特許第Ｉ４９３３８０号明細書
【発明の概要】
【発明が解決しようとする課題】
【０００８】
しかし、この方法は、サインが本人により行われたことを事後的に確認することができても、契約書フォーム画像の全てにわたって録画しているわけではないので、録画し終わった状態から内容自体（例えば、ユーザーが承諾することを意味するチェックボックスにレ点が付されたか否か等）、が変更された場合には、サインの現場を録画していても発見できない。
【０００９】
本発明はこのような問題に鑑みて、内容自体が事後的に書き換えられても、書き換えられたことを事後的に発見し得る再生可能なサインの現場を録画する方法を提供することを目的とする。
【課題を解決するための手段】
【００１０】
本発明はこのような問題に鑑みて、以下の構成を備える。
【００１１】
サインの記録装置を利用してサインを記録するサインの記録方法において、前記サインの記録装置は、撮影するためのビデオカメラと、映像を表示する機能と手書き方式によって入力する機能とを備えたタッチスクリーンと、契約書フォーム画像を記録した記録手段と、前記タッチスクリーンと前記記録手段と前記ビデオカメラとを制御する制御部と、を備え、前記サインの記録方法は、前記制御部の制御に基いて、前記記録手段から前記契約書フォーム画像を読み取って前記タッチスクリーンに表示すると共に、ユーザーがサインするサインエリア及び前記ビデオカメラによりユーザーをリアルタイムに撮影して得られるライブサイン動画情報を表示するライブエリアを表示するステップと、ユーザーが前記タッチスクリーンの前記サインエリアに対して行った手書き入力操作を、軌跡動画情報としてリアルタイムで前記サインエリアに表示させると共に、前記ビデオカメラによりリアルタイムで撮影されるユーザーの前記ライブサイン動画情報を、リアルタイムに前記ライブエリアに表示させるステップと、前記ステップが実行される間、前記タッチスクリーンに表示される前記契約書フォーム画像を含む全ての映像を、スクリーン動画情報として作成し、前記スクリーン動画情報と、前記軌跡動画情報と、前記ライブサイン動画情報と、前記契約書フォーム画像と、を含む１つのサイン記録動画とするステップと、を含む。
【発明の効果】
【００１２】
再生し得る１つのサイン記録動画を事後的に確認することにより、レ点の位置が変更されたり、スクリーン動画情報に移っている者が別人であったりしても、記録が残っているので事後的に判断する機会がある。
【図面の簡単な説明】
【００１３】
【図１】本発明によるサインの記録装置とＷＥＢサーバーを電気通信回線を介して接続したサインの記録装置の使用方法を説明する図である。
【図２】本発明の実施形態のサインの記録装置の機能ブロック図である。
【図３】本発明のサインの記録装置のタッチスクリーンに契約書フォーム画像を表示した図である。
【図４】本発明の実施形態のタッチスクリーンに検証ウインドウを表示した図である。
【図５】本発明の実施形態を用いてサインが完了した様子を示した図である。
【図６】本発明の実施形態のタッチスクリーンがサインを記録した動画を示した図である。
【図７】本発明のフローチャートである。
【発明を実施するための形態】
【００１４】
図１と図２を参照して本発明の第１の実施形態を説明する。ここで、図１は本発明によるサインの記録装置２とＷＥＢサーバー１とを電気通信回線１１０を介して接続した図であり、図２は本発明の実施形態のサインの記録装置２の機能ブロック図である。
【００１５】
サインの記録装置２はパーソナルコンピュータ、又はタブレットＰＣ若しくはスマートフォン等の携帯情報端末である。また、サインの記録装置２は、タッチスクリーン２１と、動画を撮影できるビデオカメラ２２を備える。また、サインの記録装置２は、有線接続又は無線接続によってインターネット等の電気通信回線１１０を介してＷＥＢサーバー１と接続できる。
【００１６】
次に、図２を参照してサインの記録装置２の機能ブロックを説明する。サインの記録装置２はタッチスクリーン２１と、ビデオカメラ２２と、ＧＰＳ（global positioning system）モジュール２３と、通信モジュール２４と、制御部２５と、記憶手段２６を備える。タッチスクリーン２１は入力機能と表示機能を備える。ビデオカメラ２２は動画を撮影できるカメラであり、制御部２５の命令に基いて、動画を撮影して、これらのデータを記憶手段２６に記憶する。
【００１７】
ＧＰＳモジュール２３は、ＧＰＳ信号を受信してサインの記録装置２の現在位置を求めることができる。通信モジュール２４は図１のＷＥＢサーバー１とサインの記録装置２との間で制御部２５の命令に基いて、データ通信を行なえる。記憶手段２６は、ビデオカメラ２２で撮影した動画を記憶する他、図３で後述する契約書フォーム画像３等を記憶する。なお、契約書フォーム画像３は、通信モジュール２４を介してＷＥＢサーバー１側から取得しても良い。
【００１８】
図２、図３、図４、図５を参照しながら実際にサインの記録を行なう方法を説明する。ここで、図３は、本発明のサインの記録装置２のタッチスクリーン２１に契約書フォーム画像３を表示した図である。また、図４は、本実施形態のタッチスクリーン２１に検証ウインドウ３３を表示した図である。また、図５は本実施形態を用いてサインの記録が完了した様子を示した図である。
【００１９】
タッチスクリーン２１は、図３、図４に示す様に電子文書である契約書フォーム画像３を表示する。なお、契約書フォーム画像３の取得方法は、図２の制御部２５の命令に基いて、通信モジュール２４が電気通信回線１１０を介してサーバー１から取得し、これを記憶手段２６に記憶することが挙げられる。
【００２０】
なお、光学ディスクその他の電子媒体を介して契約書フォーム画像３をサインの記録装置２の記憶手段２６にインストールしても良い。タッチスクリーン２１は、制御部２５の命令に基いて、記憶手段２６に記憶された契約書フォーム画像３をロードして表示する。
【００２１】
また、ユーザーが、タッチスクリーン２１に指で接触し、又はスタイラスペンでサインすると、軌跡動画情報４１が得られ、この軌跡動画情報４１に基いて、図２に示す様に、タッチスクリーン２１は筆跡情報Ｓ１を生成し、これを制御部２５に出力する。また、制御部２５は筆跡情報Ｓ１を記憶手段２６に記憶する。
【００２２】
ここで、軌跡動画情報４１とは、サインを行うべきエリアに対し、手書きによってサインされ、サインの筆跡が分かるデータ情報を意味する。
【００２３】
ビデオカメラ２２は、ユーザーにカメラを向けることにより、図４に示すライブサイン動画情報４２を取得し、図２に示す様に、ライブサイン動画情報４２のデータに基いたライブ情報Ｓ２を出力する。ここで、ライブサイン動画情報４２はサインを行うユーザーの顔が映っている連続した動画である。また、このライブ情報Ｓ２は、制御部２５の命令により、記憶手段２６に記憶される。ライブサイン動画情報４２は、所定のユーザーが入力した軌跡動画情報４１と併せて利用される。
【００２４】
ＧＰＳモジュール２３は、図２に示す様に、図示しない衛星からＧＰＳ信号を受信し、このＧＰＳ信号に基づいてサインの記録装置２の位置を特定する座標位置Ｌを求め、制御部２５に出力する。通信モジュール２４は図１の電気通信回線１１０を介してＷＥＢサーバー１と通信する。また、後述するタイムスタンプ局との通信にも利用される。
【００２５】
制御部２５は、記憶手段２６にインストールされたアプリケーションを実行する。タッチスクリーン２１は、制御部２５の命令に基いて、図２のライブ情報Ｓ２と、筆跡情報Ｓ１に基づいて、図４に示す様に、契約書フォーム画像３に加え、図４のライブサイン動画情報４２と軌跡動画情報４１を表示する。
【００２６】
また、制御部２５は、タッチスクリーン２１に表示された契約書フォーム画像３、ライブサイン動画情報４２、及び軌跡動画情報４１に基づいて、図５のスクリーン動画情報Ｖを生成し、図６に示す様に、これをサインを記録した動画３´の所定の欄に嵌め込む。
【００２７】
即ち、図５のスクリーン動画情報Ｖは、契約書フォーム画像３、ライブサイン動画情報４２、及び軌跡動画情報４１を含み、且つ図６ではスクリーン動画情報Ｖを表示しているので、図６のサインを記録した動画３´は、スクリーン動画情報Ｖの内容、すなわち契約書フォーム画像３、ライブサイン動画情報４２、及び軌跡動画情報４１を含むこととなる。
【００２８】
次に、図７のフローチャートを参照しながら、本発明のサインの記録方法の手順を説明する。まず、サインの記録の操作に先立って、契約書フォーム画像３のデータ及びこの契約書フォーム画像３を操作し得るアプリケーションをサインの記録装置２の記憶手段２６にインストールしておくことが好ましい。
【００２９】
なお、契約書フォーム画像３を、サインの記録装置２の記憶手段２６に予め記憶させずに、サインの記録装置２に予めインストールされたＷＥＢブラウザを利用してタッチスクリーン２１に表示しても良い。
【００３０】
次に、図７のステップ５１（Ｓ５１,以下ステップのことを単に「Ｓ」とも表記する）において、制御部２５の命令に基いて、契約書フォーム画像３を記憶手段２６からロードして、タッチスクリーン２１に表示する。ここで、契約書フォーム画像３は、図３及び図４に示す様に、サイン枠３１とライブサイン動画枠３２を含む。
【００３１】
図７のＳ５２では、ユーザーは、タッチスクリーン２１を使用して、図３及び図５に示す契約書フォーム画像３に表示されたチェックボックス４３にレ点を付ける。ここで、チェックボックス４３の右側の欄には例えば「手術に同意する」、「株を売る」、「株を買う」等の説明文が記載されており、ユーザーがタッチスクリーン２１に触れることにより、レ点を付けた欄については同意したものと扱われる。ここで、チェックボックス４３にレ点を付ける様子は録画されているので、「手術に同意する」のチェックボックス４３にレ点を付けた場合、後で見直すことにより、例えば録画後に別人が「手術に同意する」のチェックボックス４３のレ点を外しても、発見することができる。
【００３２】
なお、チェックボックス４３とその右側の説明文の例は上述した方法に限られず、文字、図形、記号、符号等を組みあわせても良い。
【００３３】
Ｓ５３では、タッチスクリーン２１は、サイン枠３１を介して所定のユーザーがサインを行なったとき、サイン済み情報Ｓ３を制御部２１に出力し、制御部２５はこのサイン済み情報Ｓ３を受信する。また、ユーザーがサインしなければＳ５３では「いいえ」が選択されたこととなるのでＳ５２に戻り、ユーザーがサインすればＳ５４、Ｓ５５へ進む。
【００３４】
Ｓ５４では、図２のＧＰＳモジュール２３が、衛星からＧＰＳ信号を受信してサインの記録装置２の現在位置を示す座標位置Ｌを求める。
【００３５】
Ｓ５５では、制御部２５の命令に基いて、検証ウインドウ３３が、図４に示す様に、タッチスクリーン２１上の契約書フォーム画像３の上に重ねられるようにして表示される。すなわち、検証ウィンドウ３３は、タッチスクリーン２１に表示された契約書フォーム画像３の一部を覆うように表示される。
【００３６】
ここで、検証ウインドウ３３は、図４に示す様に左側にサインエリア３３１が設けられ、その右側にはライブエリア３３２が設けられ、ライブエリア３３２の下にはサイン完了キー３３３が設けられる。なお、サインエリア３３１と、ライブエリア３３２と、サイン完了キー３３３との位置関係は例示にすぎず、場所を入れ替えても差し支えない。
【００３７】
Ｓ５６では、図２のビデオカメラ２２から出力されるライブ情報Ｓ２に基いて、制御部２５が、タッチスクリーン２１のライブエリア３３２に、ビデオカメラ２２から次々と送られてくるライブ情報Ｓ２と同期するようにライブサイン動画情報４２を表示する。この実施形態では、ライブサイン動画情報４２は動画であり、ビデオカメラ２２がキャプチャした動画をリアルタイムに表示する。
【００３８】
なお、この実施形態では、スクリーン動画情報Ｖは、所謂ストリーミングメディア（Streaming  media）であり、例えば、flv、H.263、H.264、f4v、rm、wmv、m4v、mov等を用いても良い。また、これらファイル形式等はユーザーによって指定される。
【００３９】
また、タッチスクリーン２１のライブエリア３３２にライブサイン動画情報４２が表示されている場合には、図４に示す様に、ライブサイン動画情報４２の中央又は端に軌跡動画情報４１を重ね併せて、同じ画面にて同期するように表示させても良い。
【００４０】
図７のＳ５７では、ライブエリア３３２のライブサイン動画情報４２を認識し、１人の顔が映っているか否かを判断する。もし、１人の顔が映っていれば（はい）、Ｓ５９に進み、そうでなければＳ５８に進む。なお、判断の方法は、記憶手段２６に予め人の輪郭を判断できるデータを記憶しておき、制御部２５が、この予め記憶されたデータとの差異が所定の範囲に収まるか否かによって１人のユーザーが写っていると判断しても良い。
【００４１】
一方、Ｓ５８が実行されるということは、１人も写っていない又は２人以上写っているということなので、制御部２５は、ユーザーによるサイン枠３１へのサイン（筆跡入力）を禁止する。そして、このユーザーによるサインが禁止された状態は、制御部２５がビデオカメラ２２からのライブ情報Ｓ２を確認して、１人のユーザーが写っていると判断するまで継続される。
【００４２】
すなわち、制御部２５は、ビデオカメラ２２によりリアルタイムで撮影されるライブサイン動画情報４２に、単一の人物の顔が映っていると判定するまで、タッチスクリーン２１のサインエリア３３１に対する操作を受け付けず、軌跡動画情報４１を作成しない。
【００４３】
Ｓ５９では、所定のユーザーがタッチスクリーン２１を利用して、図４のサインエリア３３１に指で触れて又はスタイラスペンで軌跡動画情報４１を入力する。なお、この実施形態では、サインエリア３３１や図５のレ点を付けるためのチェックボックス４３は、マークアップ言語（例えば、JavaScript（登録商標）、Java（登録商標）、Swift（登録商標）、Objective-C）で記述しても差し支えない。
【００４４】
Ｓ６０では、Ｓ５９でタッチスクリーン２１によって表示されたデータ（軌跡動画情報４１）を、制御部２５の制御に基づいて、記憶手段２６に記憶する。また、制御部２５は、タッチスクリーン２１を利用して図６のようにスクリーン動画情報Ｖを表示する。ここで、図６のスクリーン動画情報Ｖには、図４、図５で説明したように、契約書フォーム画像３、ライブサイン動画情報４２、軌跡動画情報４１、検証ウインドウ３３が含まれる。
【００４５】
Ｓ６１では、図４に示したサイン完了キー３３３を押すことにより、タッチスクリーン２１から制御部２５へサイン完了信号Ｓ４（図２）が出力され、制御部２５は、ユーザーによってサインの入力を完了させたい旨の意思表示が行なわれたことを判断し、Ｓ６２に進む。
【００４６】
なお、ユーザーがサイン完了キー３３３を押すまでは、制御部２５は、タッチスクリーン２１に、Ｓ６０で説明したスクリーン動画情報Ｖを表示するように制御する。
【００４７】
Ｓ６２では、制御部２５が記憶手段２６にインストールされたアプリケーションの機能を利用して、筆跡情報Ｓ１に従って、図６に示す様に契約書フォーム画像３のサイン枠３１に軌跡動画情報４１を嵌め込み、且つサインを記録した動画３´が、ライブサイン動画情報４２をも含むようにスクリーン動画情報Ｖを、ライブサイン動画枠３２に嵌め込む。
【００４８】
本発明のサインの記録方法は、記憶装置２６に記憶されたアプリケーションプログラムを使用して、一組の暗号化検証値を生成し、サインを記録した動画３´に併合しても差し支えない。
【００４９】
上記の暗号検証値は、ハッシュアルゴリズムにより不可逆性のハッシュ値（HashValue）として計算される。このため、上述した暗号化検証値は、スクリーン動画情報Ｖの内容、またはチェックボックス４３のレ点の有無、軌跡動画情報４１の内容、或いは座標位置Ｌに変動がありさえすれば、結果として生じる暗号化検証値が異なるので、後に、何者かによりサインを記録した動画３´の内容に変更が施されたとしても、暗号化検証値を比較することにより、サインを記録した動画３´の全体を見なくても、変更されたことを確認できる場合がある。
【００５０】
このようにして、Ｓ６３では、制御部２５は、図６で示したスクリーン動画情報Ｖと、サイン枠３１に嵌め込まれた軌跡動画情報４１と、チェックボックス４３を含んだ契約書フォーム画像３とを備えたサインを記録した動画３´に、図２のＧＰＳモジュール２３から入力された座標位置Ｌを対応させる。
【００５１】
このように座標位置Ｌをも併用することによって、例えば日本で登録したユーザーのＩＤをオーストラリアで使用した場合には、座標位置Ｌの位置が日本でないことを事後的に確認できるので、なりすましの可能性があると判断することができ、より安全性が高まる。
【００５２】
本発明のサインの記録方法は、サインを記録した動画３´を、通信モジュール２４でタイムスタンプサービス局（Time  Stamp  Authority，TSA）に送信し、タイムスタンプ認証を要求することにより、タイムスタンプ認証を利用した電子タイムスタンプ（Time  Stamp）を取得することができる。なお、サインを記録した動画３´をタイムスタンプサービス局に送る際は、不正取得される恐れがあるので暗号化することが好ましい。ここで、電子タイムスタンプの内容はサインを記録した動画３´に組み込まれる。
【００５３】
これにより、ある時点でサインを記録した動画３´が既に存在していることが判明し、サインを記録した動画３´の有効性について、後に争われた場合には、サインを記録した動画３´をタイムスタンプサービスセンターに再び送り返し、タイムスタンプサービス局でサインを記録した動画３´が生成された時刻、及び有効性について検証することにより、サインを記録した動画３´の有効性を判断できる。
【００５４】
Ｓ６３では、制御部２５の命令に基いて、図６に示す様に、タッチスクリーン２１がスクリーン動画情報Ｖ、軌跡動画情報４１を含むサインを記録した動画３´を表示する。
【００５５】
以上の説明から明らかなように、本発明は以下の効果を奏する。
【００５６】
本発明は、従来から用いられているサインと見た目が同様の軌跡動画情報を用いるので、サインの記録装置２のユーザーが受け入れ易い。
【００５７】
また、再生し得る１つのサイン記録動画３´を事後的に確認することにより、レ点の位置が変更されたり、スクリーン動画情報に移っている者が別人であったりしても、記録が残っているので事後的に判断する機会がある。
【００５８】
スクリーン動画情報Ｖは、軌跡動画情報４１、ライブサイン動画情報４２、及びチェックボックス４３を含んだ契約書フォーム画像３を含むが、一つのファイルに過ぎない。このため、データ形式が複雑化しにくい。
【００５９】
本発明は、タイムスタンプを利用するので、サインした時刻を特定することができる。
【００６０】
以上の説明は、本発明の実施形態に過ぎず、これを以って特許請求の範囲を限定するものではない。また、本発明の特許請求の範囲及び明細書の内容に簡単な付加や変化を加えたに過ぎないものについても、特許請求の範囲に記載された発明の技術的範囲に属するものとする。
【符号の説明】
【００６１】
１      ＷＥＢサーバー
２      サインの記録装置
２１    タッチスクリーン
２２    ビデオカメラ
２３    ＧＰＳモジュール
２４    通信モジュール
２５    制御部
２６    記憶手段
３      契約書フォーム画像
３´    サインを記録した動画
３１    サイン枠
３２    ライブサイン動画枠
３３    検出ウインドウ
３３１  サインエリア
３３２  ライブエリア
３３３  サイン完了キー
４１    軌跡動画情報
４２    ライブサイン動画情報
４３    チェックボックス
Ｖ      スクリーン動画情報
１１０  電気通信回線
【図１】
2019016356.tif 000003
【図２】
2019016356.tif 000004
【図３】
2019016356.tif 000005
【図４】
2019016356.tif 000006
【図５】
2019016356.tif 000007
【図６】
2019016356.tif 000008
【図７】
2019016356.tif 000009